(57)【特許請求の範囲】
【請求項１】
ＮＡＳシグナル伝達低優先度に設定される移動通信装置であって、
サービスネットワークとの無線送受信を実行する無線モジュール、および、
ＥＭＭ  ＩＤＬＥ  モード下で、ＥＸＴＥＮＤＥＤ  ＳＥＲＶＩＣＥ  ＲＥＱＵＥＳＴ  メッセージを生成して、非常事態伝達サービスを要求し、前記ＮＡＳシグナル伝達低優先度に設定される前記移動通信装置が前記ＥＸＴＥＮＤＥＤ  ＳＥＲＶＩＣＥ  ＲＥＱＵＥＳＴメッセージを生成することに応じて、無線モジュールにより、構築原因を含むＲＲＣ  ＣＯＮＮＥＣＴＩＯＮ  ＲＥＱＵＥＳＴ  メッセージを伝送し、前記構築原因は、緊急状況を示すコントローラーモジュール、
を含むことを特徴とする移動通信装置。
【請求項２】
前記ＲＲＣ  ＣＯＮＮＥＣＴＩＯＮ  ＲＥＱＵＥＳＴ  メッセージ中の前記構築原因は、ＮＡＳ層のＲＲＣ構築原因に従って、“Ｅｍｅｒｇｅｎｃｙ  ｃａｌｌ”に設定されて、前記緊急状況を示すことを特徴とする請求項１に記載の移動通信装置。
【請求項３】
前記構築原因は前記緊急状況を示すので、前記非常事態伝達サービスがアクセスストラタム（Ａｃｃｅｓｓ  Ｓｔｒａｔｕｍ、ＡＳ）層中で優先処理されることを特徴とする請求項１に記載の移動通信装置。
【請求項４】
前記コントローラーモジュールは、さらに、前記無線モジュールにより、前記サービスネットワークからの前記ＲＲＣ  ＣＯＮＮＥＣＴＩＯＮ  ＲＥＱＵＥＳＴ  メッセージに対応するＲＲＣ  ＣＯＮＮＥＣＴＩＯＮ  ＳＥＴＵＰ  メッセージを受信し、前記ＲＲＣ  ＣＯＮＮＥＣＴＩＯＮ  ＳＥＴＵＰ  メッセージの受信に応じて、前記無線モジュールにより、ＲＲＣ  ＣＯＮＮＥＣＴＩＯＮ  ＳＥＴＵＰ  ＣＯＭＰＬＥＴＥ  メッセージを前記サービスネットワークに伝送することを特徴とする請求項１に記載の移動通信装置。
【請求項５】
前記コントローラーモジュールは、さらに、前記ＥＸＴＥＮＤＥＤ  ＳＥＲＶＩＣＥ  ＲＥＱＵＥＳＴ  メッセージ中にサービスタイプを含み、前記要求が前記非常事態伝達サービスのためのものであることを示し、前記ＲＲＣ  ＣＯＮＮＥＣＴＩＯＮ  ＳＥＴＵＰ  ＣＯＭＰＬＥＴＥ  メッセージの前記伝送に応じて、前記無線モジュールにより、前記ＥＸＴＥＮＤＥＤ  ＳＥＲＶＩＣＥ  ＲＥＱＵＥＳＴ  メッセージを前記サービスネットワークに伝送することを特徴とする請求項４に記載の移動通信装置。
【請求項６】
前記要求が前記非常事態伝達サービスに対するものであることを示す前記サービスタイプに応じて、前記非常事態伝達サービスがＮＡＳ層中で優先処理されることを特徴とする請求項５に記載の移動通信装置。
【請求項７】
ＮＡＳシグナル伝達低優先度に設定される移動通信装置により、非常事態伝達サービスの要求を処理する方法は：
ＥＭＭ  ＩＤＬＥ  モードで、ＥＸＴＥＮＤＥＤ  ＳＥＲＶＩＣＥ  ＲＥＱＵＥＳＴ  メッセージを生成して、非常事態伝達サービスを要求する工程；および
前記ＮＡＳシグナル伝達低優先度に設定される前記移動通信装置が前記ＥＸＴＥＮＤＥＤ  ＳＥＲＶＩＣＥ  ＲＥＱＵＥＳＴ  メッセージを生成することに応じて、緊急状況を示す構築原因を含むＲＲＣ  ＣＯＮＮＥＣＴＩＯＮ  ＲＥＱＵＥＳＴ  メッセージをサービスネットワークに伝送する工程、
を含むことを特徴とする方法。
【請求項８】
前記ＲＲＣ  ＣＯＮＮＥＣＴＩＯＮ  ＲＥＱＵＥＳＴ  メッセージ中の前記構築原因は、ＮＡＳ層のＲＲＣ構築原因に従って、“Ｅｍｅｒｇｅｎｃｙ  ｃａｌｌ”に設定され、前記緊急状況を示すことを特徴とする請求項７に記載の方法。
【請求項９】
前記構築原因が前記緊急状況を示すので、前記非常事態伝達サービスはＡＳ層中で優先処理されることを特徴とする請求項７に記載の方法。
【請求項１０】
さらに、前記サービスネットワークからの前記ＲＲＣ  ＣＯＮＮＥＣＴＩＯＮ  ＲＥＱＵＥＳＴ  メッセージに対応するＲＲＣ  ＣＯＮＮＥＣＴＩＯＮ  ＳＥＴＵＰ  メッセージを受信し、前記ＲＲＣ  ＣＯＮＮＥＣＴＩＯＮ  ＳＥＴＵＰ  メッセージの受信に応じて、ＲＲＣ  ＣＯＮＮＥＣＴＩＯＮ  ＳＥＴＵＰ  ＣＯＭＰＬＥＴＥ  メッセージを前記サービスネットワークに伝送する工程を含むことを特徴とする請求項７に記載の方法。
【請求項１１】
さらに、前記ＥＸＴＥＮＤＥＤ  ＳＥＲＶＩＣＥ  ＲＥＱＵＥＳＴ  メッセージ中にサービスタイプを含み、前記要求が前記非常事態伝達サービスのためのものであることを示し、前記ＲＲＣ  ＣＯＮＮＥＣＴＩＯＮ  ＳＥＴＵＰ  ＣＯＭＰＬＥＴＥ  メッセージの前記伝送に応じて、前記ＥＸＴＥＮＤＥＤ  ＳＥＲＶＩＣＥ  ＲＥＱＵＥＳＴ  メッセージを前記サービスネットワークに伝送する工程を含むことを特徴とする請求項１０に記載の方法。
【請求項１２】
前記サービスタイプは、前記要求が前記非常事態伝達サービスに対するものであることを示すので、前記非常事態伝達サービスがＮＡＳ層中で優先処理されることを特徴とする請求項１１に記載の方法。
【請求項１３】
ＮＡＳシグナル伝達低優先度に設定される移動通信装置であって：
サービスネットワークとの無線送受信を実行する無線モジュール、および、
ＥＸＴＥＮＤＥＤ  ＳＥＲＶＩＣＥ  ＲＥＱＵＥＳＴ  メッセージを生成して、非常事態伝達サービスを要求し、前記ＥＸＴＥＮＤＥＤ  ＳＥＲＶＩＣＥ  ＲＥＱＵＥＳＴ  メッセージ中にサービスタイプを含んで、前記要求が前記非常事態伝達サービスに対するものであることを示し、前記ＮＡＳシグナル伝達低優先度に設定される前記移動通信装置が前記ＥＸＴＥＮＤＥＤ  ＳＥＲＶＩＣＥ  ＲＥＱＵＥＳＴ  メッセージを生成することに応じて、前記無線モジュールにより、前記ＥＸＴＥＮＤＥＤ  ＳＥＲＶＩＣＥ  ＲＥＱＵＥＳＴ  メッセージを前記サービスネットワークに伝送するコントローラーモジュール、
を含むことを特徴とする移動通信装置。
【請求項１４】
前記サービスタイプは、前記要求が前記非常事態伝達サービスに対するものであることを示すので、前記非常事態伝達サービスはＮＡＳ層中で優先処理されることを特徴とする請求項１３に記載の移動通信装置。
【請求項１５】
ＮＡＳシグナル伝達低優先度に設定される移動通信装置により、非常事態伝達サービスの要求を処理する方法であって：
ＥＸＴＥＮＤＥＤ  ＳＥＲＶＩＣＥ  ＲＥＱＵＥＳＴ  メッセージを生成して、非常事態伝達サービスを要求する工程；
前記ＮＡＳシグナル伝達低優先度に設定される前記移動通信装置が前記ＥＸＴＥＮＤＥＤ  ＳＥＲＶＩＣＥ  ＲＥＱＵＥＳＴ  メッセージを生成することに応じて、サービスタイプを前記ＥＸＴＥＮＤＥＤ  ＳＥＲＶＩＣＥ  ＲＥＱＵＥＳＴ  メッセージ中に有して、前記要求が前記非常事態伝達サービスに対するものであることを示す工程；  および、
前記ＥＸＴＥＮＤＥＤ  ＳＥＲＶＩＣＥ  ＲＥＱＵＥＳＴ  メッセージをサービスネットワークに伝送する工程、
を含むことを特徴とする方法。
【請求項１６】
前記サービスタイプは、前記要求が前記非常事態伝達サービスに対するものであることを示すので、前記非常事態伝達サービスはＮＡＳ層中で優先処理されることを特徴とする請求項１５に記載の方法。
【発明の詳細な説明】
【技術分野】
【０００１】
本発明は、非常事態伝達サービスの要求の処理に関するものであって、特に、低優先度装置の非常事態伝達サービスの要求の処理方法及びそれを用いた装置に関するものである。
【背景技術】
【０００２】
長期にわたり、我々の日常生活は、各種機器によりますます便利になっている。一般に、当今の機器はプロセッサとソフトウェアを備えて、さらに情報に基づいたサービスを提供している。一方、無線通信技術の普及により、マシン通信（Ｍａｃｈｉｎｅ  Ｔｙｐｅ  Ｃｏｍｍｕｎｉｃａｔｉｏｎ、ＭＴＣ）が発展し、リモートマシン間の通信を可能にし、情報交換、並びに、人の操作なしに操作できる。特に、重大な公共インフラ、例えば、水処理施設または橋梁等にとって、ＭＴＣ  センサーを使用して、公共建設の運用状態を監視し、各種無線アクセス技術、例えば、グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎｓ；ＧＳＭ（登録商標））、ジェネラル・パケット・ラジオ・サービス（Ｇｅｎｅｒａｌ  Ｐａｃｋｅｔ  Ｒａｄｉｏ  Ｓｅｒｖｉｃｅ、ＧＰＲＳ）技術、ＧＳＭ（登録商標）進化型高速データレート（Ｅｎｈａｎｃｅｄ  Ｄａｔａ  ｒａｔｅｓ  ｆｏｒ  Ｇｌｏｂａｌ  Ｅｖｏｌｕｔｉｏｎ、ＥＤＧＥ）  技術、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）技術、符号分割多元接続（Ｃｏｄｅ  Ｄｉｖｉｓｉｏｎ  Ｍｕｌｔｉｐｌｅ  Ａｃｃｅｓｓ  ２０００  、ＣＤＭＡ−２０００）技術、時分割同期符号多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）技術、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）技術、ロング・ターム・エボリューション（Ｌｏｎｇ  Ｔｅｒｍ  Ｅｖｏｌｕｔｉｏｎ、ＬＴＥ）技術、ＬＴＥ−Ａｄｖａｎｃｅｄ技術等により、監視結果を、コントロールセンターに報告する。
【０００３】
３ＧＰＰ  ＴＳ  ２４．３０１仕様書に基づいて制定されたｖ１０．３．０（以下、ＴＳ  ２４．３０１  仕様書）のＬＴＥ技術を例とする。低優先度のインジケーター、または、ＭＴＣ  インジケーターが定義され、ユーザー装置（ＵＥ）が、ノンアクセスストラタム（Ｎｏｎ  Ａｃｃｅｓｓ  Ｓｔｒａｔｕｍ、ＮＡＳ）シグナリングの低優先度を有し、通常、遅延を許容することを示す。ＵＥは、製造時、ＮＡＳシグナル伝達低優先度に設定される、および／または、サービスネットワークアクセス時、オープン・モバイル・アライアンス（Ｏｐｅｎ  Ｍｏｂｉｌｅ  Ａｌｌｉａｎｃｅ、ＯＭＡ）装置管理（ＤＭ）、および／または加入者識別モジュール（Ｓｕｂｓｃｒｉｂｅｒ  Ｉｄｅｎｔｉｔｙ  Ｍｏｄｕｌｅ）／汎用加入者識別モジュール（Ｕｎｉｖｅｒｓａｌ  Ｓｕｂｓｃｒｉｂｅｒ  Ｉｄｅｎｔｉｔｙ  Ｍｏｄｕｌｅ）（ＳＩＭ／ＵＳＩＭ）無線（Ｏｖｅｒ−Ｔｈｅ−Ａｉｒ、ＯＴＡ）により設定される。ＮＡＳシグナル伝達低優先度（低優先度装置とも称される）に設定されるＵＥにとって、パケットサービスを要求するＥＸＴＥＮＤＥＤ  ＳＥＲＶＩＣＥ  ＲＥＱＵＥＳＴ  メッセージの生成期間で用いられるＲＲＣ構築原因は、パケットサービスが非常事態伝達サービスのためであっても、“遅延容認（Ｄｅｌａｙ  ｔｏｌｅｒａｎｔ）”に設定される。その結果、非常事態伝達サービスがあるべきように優先処理されない。
【発明の概要】
【発明が解決しようとする課題】
【０００４】
上述の問題を解決するため、本発明は、低優先度装置の非常事態伝達サービスの要求の処理方法及びそれを用いた装置を提供し、非常事態伝達サービスを要求するＥＸＴＥＮＤＥＤ  ＳＥＲＶＩＣＥ  ＲＥＱＵＥＳＴ  メッセージの生成時、緊急状況を明確に示して、非常事態伝達サービスが、ＡＳ層および／またはＮＡＳ層で優先処理されるようにすることを目的とする。
【課題を解決するための手段】
【０００５】
本発明の第一態様中、ＮＡＳシグナル伝達低優先度に設定される移動通信装置が提供される。移動通信装置は、無線モジュールとコントローラーモジュールを含む。無線モジュールは、サービスネットワークとの無線送受信を実行する。コントローラーモジュールは、ＥＭＭ  ＩＤＬＥ  モード下で、ＥＸＴＥＮＤＥＤ  ＳＥＲＶＩＣＥ  ＲＥＱＵＥＳＴ  メッセージを生成して、非常事態伝達サービスを要求し、ＥＸＴＥＮＤＥＤ  ＳＥＲＶＩＣＥ  ＲＥＱＵＥＳＴ  メッセージの生成に応じて、無線モジュールにより、緊急状況を示す構築原因を含むＲＲＣ  ＣＯＮＮＥＣＴＩＯＮ  ＲＥＱＵＥＳＴ  メッセージをサービスネットワークに伝送する。
【０００６】
本発明の第二態様中、ＮＡＳシグナル伝達低優先度に設定される移動通信装置により、非常事態伝達サービスの要求を処理する方法が提供される。本方法は、ＥＭＭ  ＩＤＬＥ  モード下で、ＥＸＴＥＮＤＥＤ  ＳＥＲＶＩＣＥ  ＲＥＱＵＥＳＴ  メッセージを生成し、非常事態伝達サービスを要求し、および、ＥＸＴＥＮＤＥＤ  ＳＥＲＶＩＣＥ  ＲＥＱＵＥＳＴ  メッセージの生成に応じて、緊急状況を示す構築原因を含むＲＲＣ  ＣＯＮＮＥＣＴＩＯＮ  ＲＥＱＵＥＳＴ  メッセージをサービスネットワークに伝送する工程を含む。
【０００７】
本発明の第三態様中、ＮＡＳシグナル伝達低優先度に設定される移動通信装置が提供される。移動通信装置は、無線モジュールとコントローラーモジュールを含む。無線モジュールは、サービスネットワークとの無線送受信を実行する。コントローラーモジュールは、ＥＸＴＥＮＤＥＤ  ＳＥＲＶＩＣＥ  ＲＥＱＵＥＳＴ  メッセージを生成して、非常事態伝達サービスを要求し、ＥＸＴＥＮＤＥＤ  ＳＥＲＶＩＣＥ  ＲＥＱＵＥＳＴ  メッセージ中にサービスタイプを含んで、要求が非常事態伝達サービスに対するものであることを示す。また、コントローラーモジュールは、無線モジュールにより、ＥＸＴＥＮＤＥＤ  ＳＥＲＶＩＣＥ  ＲＥＱＵＥＳＴ  メッセージをサービスネットワークに伝送する。
【０００８】
本発明の第四態様中、ＮＡＳシグナル伝達低優先度に設定される移動通信装置により、非常事態伝達サービスの要求を処理する方法が提供される。本方法は、ＥＸＴＥＮＤＥＤ  ＳＥＲＶＩＣＥ  ＲＥＱＵＥＳＴ  メッセージを生成し、非常事態伝達サービスを要求する工程、ＥＸＴＥＮＤＥＤ  ＳＥＲＶＩＣＥ  ＲＥＱＵＥＳＴ  メッセージ中にサービスタイプを含んで、要求が非常事態伝達サービスに対するものであることを示す工程、および、  ＥＸＴＥＮＤＥＤ  ＳＥＲＶＩＣＥ  ＲＥＱＵＥＳＴメッセージをサービスネットワークに伝送する工程、を含む。
【０００９】
本発明のその他の特徴と長所は、当該技術を熟知する者なら誰でも、本発明の精神と領域を脱しない範囲内で、実施例中で開示される移動通信装置、および、非常事態伝達サービスの要求の処理方法に基づいて、各種の変動や潤色を加えることができる。
【発明の効果】
【００１０】
サービスタイプの設定により、ＵＥ側とネットワーク側両方のＮＡＳ層は、要求された非常事態伝達サービスを優先処理することができる。
【図面の簡単な説明】
【００１１】
【図１】本発明の具体例による移動通信環境を示す図である；
【図２Ａ】本発明の具体例による非常事態伝達サービスの要求を処理するメッセージシーケンスチャートである；
【図２Ｂ】本発明の具体例による非常事態伝達サービスの要求を処理するメッセージシーケンスチャートである；
【図３Ａ】本発明の別の具体例による非常事態伝達サービスの要求を処理するメッセージシーケンスチャートである；
【図３Ｂ】本発明の別の具体例による非常事態伝達サービスの要求を処理するメッセージシーケンスチャートである；
【図４】本発明の具体例による非常事態伝達サービスの要求を処理する方法のフローチャートである；
【図５】本発明の別の具体例による非常事態伝達サービスの要求を処理する方法のフローチャートである。
【発明を実施するための形態】
【００１２】
図１は、本発明の具体例による移動通信環境を示す図である。移動通信環境１００中、移動通信装置１１０はＮＡＳシグナル伝達低優先度に設定され、且つ、サービスネットワーク１２０に無線接続されて、無線サービスを得る。サービスネットワーク１２０は、アクセスネットワーク１２１とコアネットワーク１２２とを含み、アクセスネットワーク１２１は、第３世代（３Ｇ）移動体通信システム（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）地上無線アクセスネットワーク（Ｅ−ＵＴＲＡＮ）であり、少なくとも一つのｅＮｏｄｅ−Ｂ（ｅＮＢ）を含み、コアネットワーク１２２は、ＬＴＥ／ＬＴＥ−先進技術中の発展型パケットコア（Ｅｖｏｌｖｅｄ  Ｐａｃｋｅｔ  Ｃｏｒｅ、ＥＰＣ）である。移動通信装置１１０は無線モジュール１１１を有して、サービスネットワーク１２０との無線送受信の機能を実行し、コントローラーモジュール１１２は、無線モジュール１１１の操作を制御して、使用される通信プロトコルに従って、サービスネットワーク１２０との通信を実行する。ＬＴＥ技術を例とすると、通信プロトコルスタックは、通常、ＮＡＳ層とＡＳ層を含み、ＮＡＳ層は、移動通信装置１１０とコアネットワーク１２２間のシグナリングとトラフィックを提供する機能層であり、ＡＳ層は、移動通信装置１１０とアクセスネットワーク１２１間のシグナリングとトラフィックを提供する機能層である。また、コントローラーモジュール１１２は、さらに、別の機能素子の作業を制御することができ、例えば、マン・マシン・インターフェース（Ｍａｎ−Ｍａｃｈｉｎｅ  Ｉｎｔｅｒｆａｃｅ、ＭＭＩ）を提供するディスプレイユニット、および／または、キーパッド、および、アプリケーションのプログラムコードを保存するストレージユニット等である。さらに明確には、無線モジュール１１１は無線周波数（ＲＦ）ユニットであり、コントローラーモジュール１１２は、ベースバンド装置中の汎用プロセッサ（ｇｅｎｅｒａｌ−ｐｕｒｐｏｓｅ  ｐｒｏｃｅｓｓｏｒ）またはマイクロコントロールユニット（Ｍｉｃｒｏ−Ｃｏｎｔｒｏｌ  Ｕｎｉｔ、ＭＣＵ）である。ベースバンド装置は、複数のハードウェア装置を含み、アナログデジタル変換（ＡＤＣ）／デジタルアナログ変換（ＤＡＣ）、ゲイン調整、変調／復調、符号化／復号化等を含むベースバンド信号処理を実行する。ＲＦユニットはＲＦ無線信号を受信すると共に、受信されたＲＦ無線信号をベースバンド信号に変換し、ベースバンド装置により処理される、または、ベースバンド装置からベースバンド信号を受信すると共に、受信されたベースバンド信号をＲＦ無線信号に変換して伝送する。ＲＦユニットは、複数のハードウェア装置も含み、無線周波数変換を実行する。例えば、ＲＦユニットは、ミキサーを有し、ベースバンド信号を移動通信システムの無線周波数で発振するキャリアと多重化し、無線周波数は、ＬＴＥ／ＬＴＥ−先進システムに用いられる９００ＭＨｚ、２１００ＭＨｚまたは２．６ＧＨｚ、または、その他の無線アクセス技術（ＲＡＴ）に基づく。
【００１３】
さらに詳細には、コントローラーモジュール１１２は、無線モジュール１１１を制御して、非常事態伝達サービスの要求を処理する。図２Ａ及び２Ｂは、本発明の具体例による非常事態伝達サービスの要求を処理するメッセージシーケンスチャートである。この具体例で、非常事態伝達サービスの要求の処理は、移動通信装置１１０で発生する。簡潔にするため、移動通信装置１１０側で、ＮＡＳ層及び通信プロトコルのＡＳ層は、それぞれ、ＵＥ  ＮＡＳ層及びＵＥ  ＡＳ層と称される。図２Ａに示されるように、ＵＥ  ＮＡＳ層は、最初、ＥＭＭ  ＩＤＬＥ  モードであり、その後、ＥＸＴＥＮＤＥＤ  ＳＥＲＶＩＣＥ  ＲＥＱＵＥＳＴ（ＥＳＲ）メッセージを用いる非常事態伝達サービスをトリガーし、初期化する  （工程  Ｓ２１０）。言い換えると、ＵＥ  ＮＡＳ層は、ＥＸＴＥＮＤＥＤ  ＳＥＲＶＩＣＥ  ＲＥＱＵＥＳＴ  メッセージを生成して、非常事態伝達サービスを要求する。次に、ＵＥ  ＮＡＳ層は、ＵＥ  ＡＳ層に、無線リソース制御（Ｒａｄｉｏ  Ｒｅｓｏｕｒｃｅ  Ｃｏｎｔｒｏｌ、ＲＲＣ）接続を非常事態伝達サービスに構築するように要求する（工程Ｓ２２０）。明確には、要求は、“緊急通話（Ｅｍｅｒｇｅｎｃｙ  ｃａｌｌ）”に設定されるＲＲＣ構築原因を含む。要求に応じて、ＵＥ  ＡＳ層は、ＲＲＣ構築原因に従って、アクセスネットワーク１２１に、緊急状況を示す“Ｅｍｅｒｇｅｎｃｙ  ｃａｌｌ”に設定される構築原因を含むＲＲＣ  ＣＯＮＮＥＣＴＩＯＮ  ＲＥＱＵＥＳＴ  メッセージを伝送する（工程Ｓ２３０）。
【００１４】
ＲＲＣ  ＣＯＮＮＥＣＴＩＯＮ  ＲＥＱＵＥＳＴ  メッセージの受信時、アクセスネットワーク１２１は、受信された構築原因に従って、要求が緊急状況に対するものか識別するので、ＲＲＣ  ＣＯＮＮＥＣＴＩＯＮ  ＳＥＴＵＰ  メッセージをＵＥ  ＡＳ層に返信する（工程Ｓ２４０）。ＲＲＣ  ＣＯＮＮＥＣＴＩＯＮ  ＳＥＴＵＰ  メッセージは、パラメータ及び構造を含み、ＲＲＣ接続を構築する。ＲＲＣ  ＣＯＮＮＥＣＴＩＯＮ  ＳＥＴＵＰ  メッセージの受信時、受信されたパラメータ及び構造に従って、ＵＥ  ＡＳ層はＲＲＣ接続を構築し、その後、ＲＲＣ  ＣＯＮＮＥＣＴＩＯＮ  ＳＥＴＵＰ  ＣＯＭＰＬＥＴＥ  メッセージをアクセスネットワーク１２１に伝送し（工程Ｓ２５０）、ＲＲＣ接続構築を完成させる。
【００１５】
ＵＥ  ＡＳ層は、さらに、ＲＲＣ接続構築の完成をＵＥ  ＮＡＳ層に示す（工程Ｓ２６０）。その後、ＵＥ  ＮＡＳ層は、ＥＸＴＥＮＤＥＤ  ＳＥＲＶＩＣＥ  ＲＥＱＵＥＳＴ  メッセージ中に、サービスタイプ情報要素（ＩＥ）を含み、“非常事態伝達サービスのパケットサービスビアＳ１”に設定され、ＥＸＴＥＮＤＥＤ  ＳＥＲＶＩＣＥ  ＲＥＱＵＥＳＴ  メッセージをコアネットワーク１２２に伝送する（工程Ｓ２７０）。よって、構築原因が“Ｅｍｅｒｇｅｎｃｙ  ｃａｌｌ”に設定されることにより、ＵＥ  ＡＳ層及びアクセスネットワーク１２１（ネットワーク側の通信プロトコルのＡＳ層）両方は、接続構築を優先処理し、さらに、要求された非常事態伝達サービスを優先処理する。このほか、サービスタイプを“非常事態伝達サービスのパケットサービスビアＳ１”に設定することにより、ＵＥ  ＮＡＳ層及びコアネットワーク１２２（ネットワーク側の通信プロトコルのＮＡＳ層）両方は、要求された非常事態伝達サービスを優先処理する。
【００１６】
別の具体例中、ＥＸＴＥＮＤＥＤ  ＳＥＲＶＩＣＥ  ＲＥＱＵＥＳＴ  メッセージ中のサービスタイプＩＥが“パケットサービスビアＳ１”に設定され、非常事態伝達サービスの優先処理は、ＵＥ  ＡＳ層中の構築原因を“Ｅｍｅｒｇｅｎｃｙ  ｃａｌｌ”に設定するだけで達成される。
【００１７】
図３Ａ及び３Ｂは、本発明の別の具体例による非常事態伝達サービスの要求を処理するメッセージシーケンスチャートである。図２Ａ及び２Ｂと同様に、非常事態伝達サービスの要求の処理は、移動通信装置１１０で発生する。この具体例で、ＵＥ  ＮＡＳ層は、最初、ＥＭＭ  ＩＤＬＥ  モード、または、ＥＭＭ  ＣＯＮＮＥＣＴＥＤ  モードで、その後、トリガーされて、ＥＸＴＥＮＤＥＤ  ＳＥＲＶＩＣＥ  ＲＥＱＵＥＳＴ  メッセージを用いる非常事態伝達サービスを構築する（工程Ｓ３１０）。ＵＥ  ＮＡＳ層がＥＭＭ  ＩＤＬＥ  モードにある場合、ＵＥ  ＮＡＳ層は、ＵＥ  ＡＳ層に、非常事態伝達サービスにＲＲＣ接続を構築するよう要求し、ＲＲＣ  構築原因が“Ｄｅｌａｙ  ｔｏｌｅｒａｎｔ”に設定され（工程Ｓ３２０）、その後、ＲＲＣ構築原因に従って、ＵＥ  ＡＳ層が接続構築工程を実行し（工程Ｓ３３０〜Ｓ３５０）、接続構築工程の完成をＵＥ  ＮＡＳ層に示す（工程Ｓ３６０）。注意すべきことは、工程Ｓ３２０〜Ｓ３６０は任意のもので、図３Ａ及び３Ｂのドット部分で示され、工程Ｓ３３０〜Ｓ３５０は、構築原因が異なることを除いて、図２Ａ及び２Ｂの工程Ｓ２３０〜Ｓ２５０に類似する。その後、ＵＥ  ＮＡＳ層は、ＥＸＴＥＮＤＥＤ  ＳＥＲＶＩＣＥ  ＲＥＱＵＥＳＴ  メッセージをコアネットワーク１２２に伝送し、ＥＸＴＥＮＤＥＤ  ＳＥＲＶＩＣＥ  ＲＥＱＵＥＳＴ  メッセージはサービスタイプＩＥを含み、“非常事態伝達サービスのパケットサービスビアＳ１”に設定される（工程Ｓ３７０）。
【００１８】
ＵＥ  ＮＡＳ層がＥＭＭ  ＣＯＮＮＥＣＴＥＤ  モードである場合、ＲＲＣ接続は、ＵＥ  ＡＳ層とアクセスネットワーク１２１間で既に構築され、ＵＥ  ＮＡＳ層は、コアネットワーク１２２に既に繋がれているので、工程Ｓ３２０〜３６０は省略されて、直接、工程Ｓ３７０に進む。よって、サービスタイプを“非常事態伝達サービスのパケットサービスビアＳ１”に設定することにより、ＵＥ  ＮＡＳ層とコアネットワーク１２２（ネットワーク端の通信プロトコルのＮＡＳ層）両方は、要求された非常事態伝達サービスを優先処理する。
【００１９】
注意すべきことは、図２Ａ、２Ｂ、３Ａおよび３Ｂ中で示されるサービス要求工程中で示されていないその他の相関作業は本発明の範囲ではないので、詳細な描写はＴＳ  ２４．３０１仕様書を参照するゆえ、説明を省略していることである。
【００２０】
図４は、本発明の具体例による非常事態伝達サービスの要求を処理する方法のフローチャートである。この具体例で、本方法は、ＮＡＳ  シグナル伝達低優先度に設定される任意の移動通信装置に適用される。まず、移動通信装置は、ＥＭＭ  ＩＤＬＥ  モード下で、ＥＸＴＥＮＤＥＤ  ＳＥＲＶＩＣＥ  ＲＥＱＵＥＳＴ  メッセージを生成し、非常事態伝達サービスを要求する（工程Ｓ４１０）。次に、移動通信装置は、ＥＸＴＥＮＤＥＤ  ＳＥＲＶＩＣＥ  ＲＥＱＵＥＳＴ  メッセージの生成に応じて、緊急状況を示す構築原因を含むＲＲＣ  ＣＯＮＮＥＣＴＩＯＮ  ＲＥＱＵＥＳＴ  メッセージをサービスネットワークに伝送する（工程Ｓ４２０）。さらに明確には、ＥＸＴＥＮＤＥＤ  ＳＥＲＶＩＣＥ  ＲＥＱＵＥＳＴ  メッセージの生成は、移動通信装置中の通信プロトコルのＮＡＳ層によりトリガーされ、ＲＲＣ  ＣＯＮＮＥＣＴＩＯＮ  ＲＥＱＵＥＳＴ  メッセージの伝送は、移動通信装置中の通信プロトコルのＡＳ層により、ＮＡＳ層の要求の受信時に実行され、ＮＡＳ層の要求は、ＲＲＣ接続の構築を要求するのに用いられる。特に、要求は、ＲＲＣ  構築原因を含み、ＲＲＣ  ＣＯＮＮＥＣＴＩＯＮ  ＲＥＱＵＥＳＴ  メッセージ中の構築原因が“Ｅｍｅｒｇｅｎｃｙ  ｃａｌｌ”に設定されることを示す。よって、構築原因を緊急状況に設定することにより、ＵＥ側とネットワーク側両方のＡＳ層は、ＲＲＣ接続の構築を優先処理するので、要求された非常事態伝達サービスがさらに優先処理される。
【００２１】
図５は、本発明の別の具体例による非常事態伝達サービスの要求を処理する方法のフローチャートである。図４と同様に、本方法は、ＮＡＳ  シグナル伝達低優先度に設定される任意の移動通信装置に適用される。まず、移動通信装置は、ＥＸＴＥＮＤＥＤ  ＳＥＲＶＩＣＥ  ＲＥＱＵＥＳＴ  メッセージを生成し、非常事態伝達サービスを要求する（工程Ｓ５１０）。また、移動通信装置は、ＥＸＴＥＮＤＥＤ  ＳＥＲＶＩＣＥ  ＲＥＱＵＥＳＴ  メッセージ中に、サービスタイプを含み、要求が非常事態伝達サービスに対するものであること示し（工程Ｓ５２０）、その後、ＥＸＴＥＮＤＥＤ  ＳＥＲＶＩＣＥ  ＲＥＱＵＥＳＴ  メッセージをサービスネットワークに伝送する（工程Ｓ５３０）。別の具体例中、移動通信装置がＥＸＴＥＮＤＥＤ  ＳＥＲＶＩＣＥ  ＲＥＱＵＥＳＴ  メッセージを生成するとき、ＥＭＭ  ＩＤＬＥ  モードにある場合、工程Ｓ５３０の前、ＲＲＣ接続の構築を実行する。さらに明確には、ＥＸＴＥＮＤＥＤ  ＳＥＲＶＩＣＥ  ＲＥＱＵＥＳＴ  メッセージの生成は、移動通信装置中の通信プロトコルのＮＡＳ層によりトリガーされ、且つ、サービスタイプは、“非常事態伝達サービスのパケットサービスビアＳ１”に設定されて、緊急状況を示す。よって、サービスタイプの設定により、ＵＥ側とネットワーク側両方のＮＡＳ層は、要求された非常事態伝達サービスを優先処理する。
【００２２】
本発明では好ましい実施例を前述の通り開示したが、これらは決して本発明に限定するものではなく、当該技術を熟知する者なら誰でも、本発明の精神と領域を脱しない範囲内で各種の変動や変更を加えることができ、例えば、非常事態伝達サービスの要求を処理する方法は、ＬＴＥ／ＬＴＥ−Ａｄｖａｎｃｅｄ技術の発展的技術に従って、任意の低優先度装置に適用できる。よって、本発明の保護範囲は、特許請求の範囲で指定した内容を基準とする。
【符号の説明】
【００２３】
１００  移動通信環境；
１１０  移動通信装置；
１１１  無線モジュール；
１１２  コントローラーモジュール；
１２０  サービスネットワーク；
１２１  アクセスネットワーク；
１２２  コアネットワーク
【図１】
0005806154.tif 000002
【図２Ａ】
0005806154.tif 000003
【図２Ｂ】
0005806154.tif 000004
【図３Ａ】
0005806154.tif 000005
【図３Ｂ】
0005806154.tif 000006
【図４】
0005806154.tif 000007
【図５】
0005806154.tif 000008